(57)【要約】【課題】  特別な浸水防止手段を必要とせず安価に製造でき、雨水の浸入を防止しつつ通気性を向上することができる高通気性安全靴を提供する。【解決手段】  靴底に外側通気孔２２を有するアウトソール２と、このアウトソール２上に積層され緩衝性を有するメッシュ状のミッドソール３と、このミッドソール３上に積層され内側通気孔４１を有するインソール４とを備えている。また、アウトソール２の内表面には所定の空間を構成する複数の凹部２４が形成され、これらの凹部２４の底面に外側通気孔２２が貫通されているとともに、これらの外側通気孔２２の外周を囲むようにして浸水を防止する浸水防止用壁部２５が突設されていてもよい。【選択図】  図２
2013162916.tif 000002
【特許請求の範囲】
【請求項１】
靴底に外側通気孔を有するアウトソールと、
このアウトソール上に積層され緩衝性を有するメッシュ状のミッドソールと、
このミッドソール上に積層され内側通気孔を有するインソールと
を備えた高通気性安全靴。
【請求項２】
前記アウトソールの内表面には所定の空間を構成する複数の凹部が形成され、これらの凹部の底面に前記外側通気孔が貫通されているとともに、これらの外側通気孔の外周を囲むようにして浸水を防止する浸水防止用壁部が突設されている、請求項１に記載の高通気性安全靴。
【発明の詳細な説明】
【技術分野】
【０００１】
本発明は、高い通気性を有し、足が蒸れにくい高通気性安全靴に関するものである。
【背景技術】
【０００２】
従来、安全靴の素材には、関税の安価なポリウレタンが利用されることが多い。しかしながら、ポリウレタン素材は皮革と異なり通気性が悪いため、足の発汗作用により安全靴の内部が蒸れ易いという問題がある。特に安全靴は重労働の作業において使用される場合が多いことから、すぐに蒸れる状況になり、さらに長時間に渡って作業を行う場合は着用者の不快感が大きくなる。また、蒸れたまま放置したり、繰り返し着用することにより悪臭を発生させる原因や足の皮膚病の原因にもなっている。
【０００３】
このような背景のもと、例えば、特開２００１−３７５０３号公報には、先芯の内部に端部を排水孔として該先芯の外表側に開口させた水路を形成し、該先芯を貫通し該水路に至る複数の導気口を間隔を置いて穿設すると共に、該水路と靴内部とを連通する通気孔を該通気孔の水路側開口が前記導気口と対向しないように設けてなる安全靴が提案されている（特許文献１）。
【先行技術文献】
【特許文献】
【０００４】
【特許文献１】特開２００１−３７５０３号公報
【発明の概要】
【発明が解決しようとする課題】
【０００５】
しかしながら、特許文献１に記載された発明においては、先芯の外表面に上向きの開口が複数設けられるため、雨天時には雨水がそのまま浸入してしまう。このため、雨水の浸入を防止するには、別途、液体水不透過性かつ水蒸気透過性の膜で開口を被覆したり、開口を閉鎖可能な開閉手段を設けなければならず、構造がより一層複雑になる上、製品コストが高くなってしまうという問題がある。
【０００６】
本発明は、このような問題点を解決するためになされたものであって、特別な浸水防止手段を必要とせず安価に製造でき、雨水の浸入を防止しつつ通気性を向上することができる高通気性安全靴を提供することを目的としている。
【課題を解決するための手段】
【０００７】
本発明に係る高通気性安全靴は、靴底に外側通気孔を有するアウトソールと、このアウトソール上に積層され緩衝性を有するメッシュ状のミッドソールと、このミッドソール上に積層され内側通気孔を有するインソールとを備えている。
【０００８】
また、本発明の一態様として、前記アウトソールの内表面には所定の空間を構成する複数の凹部が形成され、これらの凹部の底面に前記外側通気孔が貫通されているとともに、これらの外側通気孔の外周を囲むようにして浸水を防止する浸水防止用壁部が突設されていてもよい。
【０００９】
さらに、本発明の一態様として、前記インソールの踵部分には、前記ミッドソールと対向する面にクッション部材が設けられていてもよい。
【発明の効果】
【００１０】
本発明によれば、特別な浸水防止手段を必要とせず安価に製造でき、雨水の浸入を防止しつつ通気性を向上することができる。
【図面の簡単な説明】
【００１１】
【図１】本発明に係る高通気性安全靴の一実施形態を示す全体図である。
【図２】本実施形態の高通気性安全靴を示す断面図である。
【図３】本実施形態のアウトソールを示す底面図である。
【図４】本実施形態のアウトソールを示す平面図である。
【図５】図２において点線で囲んだ領域Ａを示す一部拡大断面図である。
【発明を実施するための形態】
【００１２】
以下、本発明に係る高通気性安全靴の実施形態について図面を用いて説明する。なお、本発明において、安全靴とは、工事現場や重い機械・部品を扱う工場内、鉱業・建設業、運送業等の足への危険を伴う作業場で使用され着用者の足を保護する全ての靴を含む概念である。
【００１３】
図１および図２に示すように、本実施形態の高通気性安全靴１は、主として、地面に直接接地するアウトソール２と、このアウトソール２上に積層されるミッドソール３と、このミッドソール３上に積層され足に直接接触するインソール４とを有している。以下、各構成についてより詳細に説明する。
【００１４】
アウトソール２は、地面に直接接触する部分であり、ゴムや合成樹脂等により形成されている。アウトソール２の底面にあたる靴底には、図３に示すように、複数本の凹溝２１が形成されており、滑りにくくする意匠が施されている。また、本実施形態では、足の指周辺が特に蒸れやすいことを考慮して、アウトソール２のつま先側の凹溝２１に沿うようにして、アウトソール２を上下方向に貫通する複数個の外側通気孔２２が形成されている。このように本実施形態では、蒸れやすい位置と製造コスト、浸水の問題を考慮して、アウトソール２のつま先側にのみ外側通気孔２２を形成しているが、踵側にも形成してもよい。
【００１５】
また、アウトソール２の内表面には、図４に示すように、仕切壁２３によって所定の空間を構成する複数の凹部２４が形成されている。そして、つま先側に設けられた各凹部２４の底面に外側通気孔２２が貫通されている。また、本実施形態では、図５に示すように、アウトソール２内への浸水を防止するための浸水防止用壁部２５が、凹部２４の底面から外側通気孔２２の外周を囲むようにして上方に突設されている。
【００１６】
なお、本実施形態では、外部からの水が浸入しにくくなるように、外側通気孔２２の直径を約３ｍｍとしているが、この大きさに限定されるものではなく、通気作用と浸水防止作用とのバランスを考慮して、適宜増減してもよい。
【００１７】
ミッドソール３は、アウトソール２上に積層され、足への衝撃を吸収する役割等を果たす部分である。本実施形態において、ミッドソール３は、通気性および緩衝性の高いメッシュ状の素材により形成されている。また、ミッドソール３は高さ方向と横方向に網目状が構成されており、横方向の網目の各径よりも高さ方向の網目の各径の方が大きく形成されており、汗の排出、通気性の確保、クッション性等が効果的になされるように構成されている。
【００１８】
インソール４は、ミッドソール３上に積層され、足の裏と直接接触する部分である。本実施形態において、インソール４は、通気性、速乾性および緩衝性に優れた素材により形成されている。また、図２に示すように、インソール４の前方には、複数個の内側通気孔４１が形成されている。さらに、インソール４の踵部分には、ミッドソール３と対向する面に弾力性の高いクッション部材４２が設けられている。
【００１９】
つぎに、以上の構成を備えた本実施形態の高通気性安全靴１の作用について説明する。
【００２０】
本実施形態の高通気性安全靴１を着用した状態で発汗すると、まず、インソール４が当該汗を吸収し、足との接触面を素早く乾燥させる。つづいて、インソール４は、吸収した汗や体温によって蒸気になった汗をミッドソール３側へ通気または通水させる。また、本実施形態において、インソール４は、つま先側に設けられた内側通気孔４１から直接汗や蒸気を効果的に排出する。
【００２１】
インソール４から排出された汗や蒸気は、メッシュ状のミッドソール３によってそのままアウトソール２側へ通過される。特に、着用者が歩行する度に、クッション性の高いインソール４およびミッドソール３が、圧縮状態と通常状態とを繰り返すことによりポンプ作用を奏するため、汗や蒸気を迅速に押し出す。
【００２２】
アウトソール２は、ミッドソール３から排出された汗や蒸気を凹部２４へ取り入れつつ、外側通気孔２２から排出するとともに、外部の新鮮な空気を高通気性安全靴１の内部へ取り入れる。また、外側通気孔２２は靴底に開口されているため、雨天時に雨水が上から浸入することがない。さらに、外側通気孔２２はアウトソール２の凹溝２１に沿って形成されているため、地面によって閉塞されることがなく、常時、高通気性安全靴１の内部と外気とを連通させ、快適な状態を保持する。
【００２３】
また、本実施形態では、図５に示すように、浸水防止用壁部２５が、外側通気孔２２の外周を取り囲んで通気路を上方に延長している。このため、外側通気孔２２は、凹溝２１の高さ、アウトソール２の厚さおよび浸水防止用壁部２５の高さを合わせた深さ以下の水深であれば、水たまり等に入ってもアウトソール２内への浸水を防止することができる。
【００２４】
さらに、本実施形態では、インソール４の裏面に設けられたクッション部材４２が、インソール４およびミッドソール３のポンプ作用を向上させる。これにより、汗や蒸気の排出が促進され、高通気性安全靴１の内部に発生した高湿な空気が、新鮮な外気と迅速に換気される。
【００２５】
以上のような本実施形態によれば、以下のような効果を奏する。
１．高通気性安全靴１の内部を蒸れにくくし、着用者の不快感を低減することができる。
２．高い通気性を保持しつつ、雨水の浸入を防止することができる。
３．浅い水たまり程度であれば、水たまりに入ってもアウトソール２内への浸水を防止することができる。
４．外側通気孔２２に対して特別な浸水防止手段を設ける必要がなく、安価に製造することができる。
【００２６】
なお、本発明に係る高通気性安全靴１は、前述した実施形態に限定されるものではなく、適宜変更することができる。
【００２７】
例えば、上述した本実施形態では、スニーカータイプの高通気性安全靴１について説明したが、外観形状はこれに限定されるものではなく、ブーツタイプ、長靴タイプ、半長靴タイプ、短靴タイプ等、あらゆるタイプの安全靴に適用可能である。
【符号の説明】
【００２８】
１  高通気性安全靴
２  アウトソール
３  ミッドソール
４  インソール
２１  凹溝
２２  外側通気孔
２３  仕切壁
２４  凹部
２５  浸水防止用壁部
４１  内側通気孔
４２  クッション部材
【図２】
2013162916.tif 000003
【図５】
2013162916.tif 000004
【図１】
2013162916.tif 000005
【図３】
2013162916.tif 000006
【図４】
2013162916.tif 000007